(57)【特許請求の範囲】
【請求項１】
便器に起倒自在に設置された便座と、
前記便座を起倒自在に支持する便座本体と、
前記便座本体に配置して人体を洗浄する洗浄ノズルと、
前記便器内面に水膜を形成する水散布ノズルと、
前記水散布ノズルからの水散布状況を照明する照明装置と、
前記水散布ノズルへの水路を開閉する電磁弁と、
少なくとも前記電磁弁と前記照明装置を制御する制御手段と
を備え、
前記水散布ノズルは、前記水散布ノズルから散布水量を便器の前方向には多く、後方には少なくなるように偏らせて便器の内面へ水を散布し、
前記制御手段は、前記水散布ノズルからの水散布と連動して前記照明装置を動作させるトイレ装置。
【請求項２】
前記洗浄ノズルの動作指示をするリモートコントローラを備え、前記リモートコントローラには前記水散布ノズルからの水散布の動作指示をする汚れ防止スイッチを設けた請求項１記載のトイレ装置。
【請求項３】
前記水散布ノズルは、水噴出部を環状に形成した水供給体と、前記水噴出部から噴出された水を放射状に拡散する水拡散体とを備え、前記水拡散体は前記水噴出部と対向する壁部が全周凹曲面状に形成された請求項１または２記載のトイレ装置。
【請求項４】
前記水散布ノズルは、水噴出部を環状に形成した水供給体と、前記水噴出部から噴出された水を放射状に拡散する水拡散体とを備え、前記水噴出部は複数の水噴出部を環状に配列した請求項１または２記載のトイレ装置。
【請求項５】
前記水散布ノズルは、水噴出部を環状に形成した水供給体と、前記水噴出部から噴出された水を放射状に拡散する水拡散体とを備え、前記水拡散体の周方向に噴出水により低圧渦が形成されるように低圧渦発生部を設けた請求項１または２記載のトイレ装置。
【請求項６】
前記水散布ノズルは、水噴出部を環状に形成した水供給体と、前記水噴出部から噴出された水を放射状に拡散する水拡散体とを備え、前記水拡散体により拡散される水の流量分布を周方向に異なるように設定した請求項１または２記載のトイレ装置。
【請求項７】
前記水散布ノズルの前記水噴出部に対して前記水拡散体を偏心させることにより前記水拡散体により拡散される水の流量分布を周方向に異ならせた請求項６記載のトイレ装置。
【請求項８】
複数の前記水噴出部の開口度を変えることにより前記水拡散体により拡散される水の流量分布を周方向に異ならせた請求項４または６記載のトイレ装置。
【請求項９】
複数の前記水噴出部の周方向の設定密度を変えることにより前記水拡散体により拡散される水の流量分布を周方向に異ならせた請求項４または６記載のトイレ装置。
【請求項１０】
前記水散布ノズルを覆うケースを設け、前記水散布ノズルと前記ケースとの間に前記照明装置を配置し、前記水散布ノズルから散布される散布水に向けて照射するようにした請求
項１から９のいずれか１項記載のトイレ装置。
【発明の詳細な説明】
【技術分野】
【０００１】
本発明は便器に汚れ防止策を施したトイレ装置に関するものである。
【背景技術】
【０００２】
トイレで用をたすとき、便器内面が乾燥していると汚物などがへばり付き、またその洗浄が困難となることは一般に知られているところである。
【０００３】
これを解決するために、事前に便器内面に水を散布して濡らしておき、水膜で汚物が付着を抑制し、また、付着しても簡単に洗浄除去することができるようにしたものが見受けられる。
【０００４】
図２０〜２２はその代表的なものを示しており、具体的には、洋式の便器１０１に便座１０２を設け、また、この便座１０２を開閉自在に枢支する便座本体１０３に身体局部洗浄用の洗浄ノズル１０４と、便器１０１の内面に水を散布する水散布ノズル１０５を配置したものであった。
【０００５】
水散布ノズル１０５からの水散布は、使用者がトイレ室内に入ったのを人体検知センサーで検知して開始し、便座１０２に着座するまでの間に便器１０１の内面に水を散布して水膜を形成しようとするものである。
【０００６】
前記水散布ノズル１０５は、水供給路１０６を有する水供給体１０７と、前記水供給路１０６からの水を放射状に拡散する水拡散体１０８とから構成されており、それら水供給路１０６と水拡散体１０８とは周方向に等間隔に位置する複数のリブ１０９で連結されている。
【０００７】
そして、水供給体１０７の水供給路１０６からの水は水拡散体１０８で放射状に拡散されて便器１０１における内面の所定高さに散布されることとなる（例えば、特許文献１参照）。
【先行技術文献】
【特許文献】
【０００８】
【特許文献１】特許第３４４７３５２号公報
【発明の概要】
【発明が解決しようとする課題】
【０００９】
前記水拡散体１０８は水を放射状に拡散するものであるが、そのときの流量、流速は水供給体１０７と水拡散体１０８との間に設定された環状隙間ｔに専ら依存している。したがって、後方に位置している水散布ノズル１０５から便器１０１の前方内面まで水を確実に散布するためには、前記環状隙間ｔを可及的に小さくする必要があり、故に、同隙間ｔに異物が詰まりやすいものとなっていた。
【００１０】
また、複数のリブ１０９が環状隙間ｔに存在していることもあって、水散布分布にばらつきが生起しやすく、加えて、水散布がなされない部位があった。
【００１１】
その結果、従来では便器内面に均等に水膜を形成できず、汚れ対策として十分な効果が期待できない課題があった。
【００１２】
本発明は、便器内面に均等に水膜を形成して汚れ付着を確実に抑制することを目的とするものである。
【課題を解決するための手段】
【００１３】
前記目的を達成するために本発明のトイレ装置は、便器に起倒自在に設置された便座と、前記便座を起倒自在に支持する便座本体と、前記便座本体に配置して人体を洗浄する洗浄ノズルと、前記便器内面に水膜を形成する水散布ノズルと、前記水散布ノズルからの水散布状況を照明する照明装置と、前記水散布ノズルへの水路を開閉する電磁弁と、少なくとも前記電磁弁と前記照明装置を制御する制御手段とを備え、前記水散布ノズルは、前記水散布ノズルから散布水量を便器の前方向には多く、後方には少なくなるように偏らせて便器の内面へ水を散布し、前記制御手段は、前記水散布ノズルからの水散布と連動して前記照明装置を動作させるものである。
【００１４】
これによって、水散布ノズルへの水路を開くと、水散布ノズルから便器内面に水が散布され、便器内面に達した水はその便器表面で水膜を形成して汚れの付着を防止する。そして、水散布ノズルより水散布が行われている間、照明装置が点灯動作されて水散布状態が照明に浮き上がり、水散布状態を確認できる。また、水散布ノズルからの散布水量を便器の前方向には多く、後方には少なくなるように偏らせることで、便器内面の単位面積あたりの水量をほぼ均一にし、これにより、便器内面を効率よく広く均一に濡らすことができるものである。
【発明の効果】
【００１５】
本発明のトイレ装置は、水散布ノズルからの水散布状態が照明に浮き上がり、水散布状態を確認できるとともに、便器内面への汚れ付着が抑えられ、衛生的なトイレ環境を創出できるものである。
【図面の簡単な説明】
【００１６】
【図１】本発明の実施の形態１におけるトイレ装置の外観斜視図
【図２】同実施の形態１におけるリモートコントローラの斜視図
【図３】同実施の形態１における水回路図
【図４】同実施の形態１における水散布ノズルの縦断面図
【図５】同水散布ノズルの横断面図
【図６】同実施の形態１におけるトイレ装置の断面図
【図７】同実施の形態１におけるトイレ装置のタイムチャート
【図８】同実施の形態１における水散布ノズルの噴流速度と広がり幅の関係を示す動作説明図
【図９】本発明の実施の形態２における水散布ノズルの縦断面図
【図１０】本発明の実施の形態３における水散布ノズルの縦断面図
【図１１】同水散布ノズルの横断面図
【図１２】同実施の形態３の他の例を示す水散布ノズルの縦断面図
【図１３】同水散布ノズルの横断面図
【図１４】本発明の実施の形態４における水散布ノズルの縦断面図
【図１５】同水散布ノズルの横断面図
【図１６】同実施の形態４の他の例を示す水散布ノズルの縦断面図
【図１７】同水散布ノズルの横断面図
【図１８】同実施の形態４のさらに他の例を示す水散布ノズルの縦断面図
【図１９】同水散布ノズルの横断面図
【図２０】従来のトイレ装置の断面図
【図２１】従来の水散布ノズルの側面図
【図２２】同横断面図
【発明を実施するための形態】
【００１７】
第１の発明のトイレ装置は、便器に起倒自在に設置された便座と、前記便座を起倒自在に支持する便座本体と、前記便座本体に配置して人体を洗浄する洗浄ノズルと、前記便器内面に水膜を形成する水散布ノズルと、前記水散布ノズルからの水散布状況を照明する照
明装置と、前記水散布ノズルへの水路を開閉する電磁弁と、少なくとも前記電磁弁と前記照明装置を制御する制御手段とを備え、前記水散布ノズルは、前記水散布ノズルから散布水量を便器の前方向には多く、後方には少なくなるように偏らせて便器の内面へ水を散布し、前記制御手段は、前記水散布ノズルからの水散布と連動して前記照明装置を動作させるものである。
【００１８】
これによって、水散布ノズルへの水路を開くと、水散布ノズルから便器内面に水が散布され、便器内面に達した水はその便器表面で水膜を形成して汚れの付着を防止する。そして、水散布ノズルより水散布が行われている間、照明装置が点灯動作されて水散布状態が照明に浮き上がり、水散布状態を確認できる。また、水散布ノズルからの散布水量を便器の前方向には多く、後方には少なくなるように偏らせることで、便器内面の単位面積あたりの水量をほぼ均一にし、これにより、便器内面を効率よく広く均一に濡らすことができるものである。
【００１９】
第２の発明は、特に第１の発明の洗浄ノズルの動作指示をするリモートコントローラを備え、前記リモートコントローラには水散布ノズルからの水散布の動作指示をする汚れ防止スイッチを設けた構成とすることにより、リモートコントローラの汚れ防止スイッチをＯＮにすれば任意に水散布ノズルからの水散布が可能なので、便器を清掃する場合などに非常に便利で使い勝手がよい。
【００２２】
第３の発明は、特に第１または第２の発明の水散布ノズルは、水噴出部を環状に形成した水供給体と、前記水噴出部から噴出された水を放射状に拡散する水拡散体とを備え、前記水拡散体は前記水噴出部と対向する壁部が全周凹曲面状に形成された構成とすることにより、水供給体の水噴出部で流量、流速が設定された水は水拡散体の中央部に噴出され、その水拡散体の全周凹曲面の壁部で向きを変えて放射状に拡散され便器内面へ放出されることとなる。そして、便器内面に達した水はその表面で水膜を形成して汚れの付着を防止する。前記のように、流量、流速が水供給体の水噴出部で決定される構成のため、従来のごとく環状隙間などの必要性がなくなり、異物の詰まりが可及的に防止できる。
【００２３】
第４の発明は、特に第１または第２の発明の水散布ノズルは、水噴出部を環状に形成した水供給体と、前記水噴出部から噴出された水を放射状に拡散する水拡散体とを備え、前記水噴出部は複数を環状に配列してもよい。
【００２４】
第５の発明は、特に第１または第２の発明の水散布ノズルは、水噴出部を環状に形成した水供給体と、前記水噴出部から噴出された水を放射状に拡散する水拡散体とを備え、前記水拡散体の周方向に噴出水により低圧渦が形成されるように低圧渦発生部を設けたので、コアンダ効果による水拡散体への水の付着を促進し、水拡散を均等に、しかも確実に行うことができる。
【００２５】
水拡散体は便器の中央部に配置することは構造上できず、多くは便器の後方部など、偏った部位に配置するのが一般的である。そのため、第６の発明は、特に第１または第２の発明の水散布ノズルは、水噴出部を環状に形成した水供給体と、前記水噴出部から噴出された水を放射状に拡散する水拡散体とを備え、前記水拡散体により拡散される水の流量分布を周方向に異なるように設定して便器内面に均等に水が散布されるようにする。
【００２６】
水の流量分布を周方向に異ならせる具体例として、第７の発明は、特に第６の発明の水散布ノズルの水噴出部に対して水拡散体を偏心させること、第８の発明は、特に第４または第６の発明の複数の独立水噴出部の開口度を変えること、第９の発明は、特に第４または第６の発明の複数の独立水噴出部の周方向密度を変えることなどがある。
【００２９】
照明装置は水散布ノズルを覆うケースを設けて、これら水散布ノズルとケースとの間に介在させておくのが望ましい。すなわち第１０の発明は、特に第１〜第９のいずれか１つの発明の照明装置は、前記水散布ノズルと前記ケースとの間に照明装置を配置し、前記水散布ノズルから散布される散布水にむけて照射するようにするものである。
【００３０】
以下、本発明の実施の形態について、図面を参照しながら説明する。なお、この実施の形態によって本発明が限定されるものではない。
【００３１】
（実施の形態１）
図１、２において、洋式の便器１上に設置される便座２は便蓋３とともに便座本体４に上下起倒自在に軸支されており、これら便座２および便蓋３は手動でも起倒操作できるが、トイレ室内に対して使用者が入出したのを人体検知センサ５が検知した場合に自動的に起倒動作がなされるようにしてある。
【００３２】
それらの駆動手段は便座本体４に内蔵してあり、使用者がトイレ室内に入ると便蓋３のみが起動し、必要に応じて便座２の起動がなされ、使用者がトイレ室内から退出すると便蓋３は勿論、便座２が起状態にあれば共に倒動されるものである。
【００３３】
便座２への使用者の着座は赤外線などを利用した着座センサ６で検知され、脱臭装置などが始動されるように設定してある。
【００３４】
便座２には２種類の洗浄ノズル７，８と、便器１の内面に水膜を形成するための水散布ノズル９、および前記水散布ノズル９からの水散布状況を照明する照明装置１０とが配置してある。
【００３５】
前記洗浄ノズル７，８の選択的動作、洗浄条件などはリモートコントローラ１１で制御できるようにしてある。
【００３６】
すなわち、前記リモートコントローラ１１には、洗浄ノズル７，８を択一的に動作させ
るためのスイッチ１２，１３（お尻洗浄用とビデ洗浄用）、乾燥スイッチ１４、各機能のインジケータ１５、洗浄ノズル７，８から噴出される水の温度を可変するための温度調整スイッチ１６，１７、洗浄ノズル７，８などの使用―停止スイッチ１８、および水散布ノズル９からの水散布を任意に行う汚れ防止スイッチ１９がそれぞれ設けてあり、便座本体４に内蔵された各種制御機器、電気回路などをコントロールするようにしている。
【００３７】
図３はその具体例を示しており、分岐水栓２０を介して水道などの給水源２１から分岐された水回路２２には、ストレーナ２３、逆止弁２４、定流量弁２５、元電磁弁２６、流路切換弁２７、流量センサー２８、温水ユニット２９、ポンプ３０、ノズル切換弁３１が上流側から順に接続されている。
【００３８】
前記流路切換弁２７は水路を洗浄ノズル７，８側か、水散布ノズル９側かに択一的に切換えるためのもの、ノズル切換弁３１は水路を洗浄ノズル７，８のいずれか一方へ択一的に切換えるためのもので、また、流路切換弁２７と流量センサー２８との間からは、元電磁弁２６から下流側の過剰水を廃棄するための捨て水回路３２が分岐形成してある。
【００３９】
そして、元電磁弁２６、流路切換弁２７、温水ユニット２９、ポンプ３０、ノズル切換弁３１、および照明装置１０は制御手段３３で制御されるものである。
【００４０】
便座本体４にはこれらの水路などの制御機器のほか、先の脱臭装置、乾燥用温風発生装置なども内蔵してある。
【００４１】
つまり、リモートコントローラ１１の使用―時停止スイッチ１８が使用状態であると、元電磁弁２６が開成できる状態となり、ここでお尻洗浄用のスイッチ１２を押すと、元電磁弁２６が開成されるとともに、ポンプ３０が作動し、ノズル切換弁３１がお尻洗浄用の洗浄ノズル７側の水回路を開く。
【００４２】
したがって、元電磁弁２６、流路切換弁２７、流量センサー２８と流動してきた水は次段の温水ユニット２９を通過する際に瞬間的に温められ、温水としてポンプ３０を介して洗浄ノズル７から噴出されることとなる。
【００４３】
ビデ洗浄用のスイッチ１３を押した場合には、ノズル切換弁３１がビデ洗浄用の洗浄ノズル８側が開かれてビデ洗浄用温水が噴出される。
【００４４】
これら洗浄ノズル７，８から噴出される温水の温度は温度調整スイッチ１６，１７により、例えば、温水ユニット２９の出力を調整することでコントロールできるものである。
【００４５】
また、リモートコントローラ１１の汚れ防止スイッチ１９をＯＮにすれば任意に水散布ノズル９からの水散布が可能であるが、通常は、トイレ室内への使用者の入室を人体検知センサ５が検知した後の所定時間だけ流路切換弁２７が水散布ノズル９側の水回路を開き、同水散布ノズル９より便器１の内面へ水を散布する。
【００４６】
したがって、使用者が用を足す以前に便器１の内面には水膜が形成された状態にあり、汚れが付着しにくい状態を呈するようになっている。
【００４７】
そして、水散布ノズル９より水散布が行われている間中、照明装置１０が動作されて水散布状態が照明に浮き上がるようにしている。
【００４８】
次に、前記水散布ノズル９の構成を詳述する。図４、５において、水散布ノズル９は、環状の水噴出部３４を中心部分に形成した水供給体３５と、前記水噴出部３４から噴出さ
れた水を放射状に拡散する水拡散体３６とから構成してある。
【００４９】
前記水拡散体３６は円形状であって、水噴出部３４と対向する上壁が凹曲面状に設定してあり、また、水供給体３５の内部通水路３７に突入する支柱部３８からは支持用のリブ３９が放射状に形成してある。
【００５０】
水散布ノズル９からの水散布速度、流量は水噴出部３４の開口度で決定されるが、同水噴出部３４が水供給体３５の中央部に位置しているために、従来の分散タイプではなく集中タイプとなり、その分、開口面積としては大きくでき、異物などの詰まりが発生しにくくなっている。
【００５１】
水供給体３５の通水路３７を流動する水は、途中、リブ３９で整流されて層流となって水噴出部３４に至り、そこから水拡散体３６の凹曲面状の上壁へ噴出される。そして、その凹曲面状上壁で向きを変えて放射状に散布されることとなる。
【００５２】
ところで、リブ３９は整流作用を発揮するものであるが、下流の水噴出部３４である程度水量が絞られる関係から、この水噴出部３４以降で水が周方向に分散されることはなく、したがって、便器１の内面に均等に散布されて確実に水膜を形成することとなる。
【００５３】
図６において、照明装置１０は、水散布ノズル９の上方部を囲む透光性材料からなるケース４０の内部に設置されており、水散布ノズル９からの水散布状況がケース４０を透過してくる照明装置１０の照明に浮き上がるようにしてある。
【００５４】
上記の構成において、図７は動作説明のためのタイムチャートを示し、具体的には便蓋３の開閉状況、流路切換弁２７の切換状況、元電磁弁２６の開閉状況、照明装置１０の動作状況を示すものである。
【００５５】
ａは、人体検知センサ５が人体を検知したら便蓋３が自動的に起動される場合で、同時に流路切換弁２７が水散布ノズル９の水回路を開き、時間Ｔ１で元電磁弁２６を開き、照明装置１０を動作させるものである。
【００５６】
元電磁弁２６の開動と、照明装置１０の点灯動作は時間Ｔ２継続され、同時に流路切換弁２７が水散布ノズル９の水回路を閉じ、洗浄ノズル７，８への水回路を開く。
【００５７】
すなわち、使用者がトイレに入室してから時間Ｔ２の間、水散布ノズル９から便器１の内面へ水散布が行われて、水膜を形成するようにしており、その後、用を足した場合にその水膜は汚れ付着を可及的に防止するものである。
【００５８】
時間Ｔ２は、例えば、使用者がトイレに入室してから便座２に着座するまでの時間であり、その間、使用者は照明装置１０の照明に浮き上がるように演出される水散布ノズル９からの水散布状況を確認でき、トイレを快適空間に改善できることとなる。
【００５９】
ｂは、時間Ｔ２の経過の前に使用者が便座２に着座した場合で、着座センサ６の検知信号をもとに流路切換弁２７が水散布ノズル９側の水回路を閉に、代わって洗浄ノズル７，８側の水回路を開とし、照明装置１０も消灯状態とする。
【００６０】
また、ｃは必要に応じて汚れ防止スイッチ１９を作動させた場合である。このときには、時間Ｔ３の間に流路切換弁２７が水散布ノズル９の水回路を開き、時間Ｔ３が経過したら元電磁弁２６を開き、照明装置１０を動作させる。この状態は汚れ防止スイッチ１９をＯＦＦとする時間Ｔ４の間継続されるものである。つまり、このｃの例では便器１を清掃
する場合などに非常に便利である。
【００６１】
ところで、水散布ノズル９からの水散布が便器１の内面への衝突高さＨが略平均的な高さになるように、その水拡散体３６における上壁の凹曲面が設定されている。したがって、水散布ノズル９から散布された水は、便器１内面の外周部に向けて放射状に広がり、そのリム部の直下に注がれて、内面傾斜に沿って全面を濡らしながら流下される。
【００６２】
また、照明装置１０は、水散布ノズル９を覆うケース４０内にあって、水散布ノズル９との隙間に配置され、水散布ノズル９からの散布水に向けて照射するようにしているので、水散布ノズル９からの散布水を照らし、乱反射で使用者に光と散布水の演出効果で、水流確認だけでなく清涼感や癒しの効果を与える。
【００６３】
また、ケース４０を半透明の素材により構成することで、照明装置１０だけでなくケース４０自体が光るので、使用者が散布水をより確実に確認することができる。さらに、淡い光で散布水と便器１を照らすので刺激の少ない光の演出ができる。
【００６４】
このように本実施の形態１によれば、便器１の内面を濡らしておくことで、大便や小便などの汚れが残留した場合に、容易に洗い流すことができるとともに、トイレ掃除など必要な時には任意に水を散布させることもできるので、非常に使い勝手のよいものとすることができるものである。
【００６５】
次に、水散布ノズル９からの散布流速、つまり、水噴出部３４からの噴出速度と散布広がり幅の関係について図８を用いて説明する。ここでの広がり幅とは、水拡散体３６からボウル状に拡散される散布水の１００ｍｍ離れた平面での直径を表している。
【００６６】
図８において、噴出流速が２ｍ／ｓ以下になると広がり幅が小さく、十分な濡れ面積が確保できなくなり、一方、噴出流速が１０ｍ／ｓ以上では飛沫が便器１から飛び出してしまう。
【００６７】
したがって、噴出流速を２〜１０ｍ／ｓに設定することで、散布水が飛び出すことなく便器１の内面に必要な濡れ面積が確保できる。実験結果では、４〜８ｍ／ｓの噴出速度で理想的な濡れ面積が確保できた。
【００６８】
（実施の形態２）
図９は水散布ノズル９からの水散布を一層向上させたもので、図４と同一作用を行う構成部分については同一符号を付し、詳細な説明は実施の形態１のものを援用する。
【００６９】
異なる点は、水供給体３５の水噴出部３４の噴出側に相当して水拡散体３６の上部周方向に低圧渦発生用の凹部４１を設けたところである。
【００７０】
上記の構成において、水噴出部３４から噴出された水の一部が凹部４１で低圧渦を発生し、結果的に全体の流れが水拡散体３６に付着するようになる（コアンダ効果）。
【００７１】
したがって、水噴出部３４からの水は水拡散体３６に案内され、確実に放射状に散布されることとなる。
【００７２】
（実施の形態３）
図１０〜１３は水散布ノズルの水噴出部を複数構成にしたものを示し、図４と同一作用を行う構成部分については同一符号を付し、詳細な説明は実施の形態１のものを援用する。
【００７３】
先ず、図１０，１１に示すものは、水供給体３５における内部通水路３７の路壁より凹条を９０度間隔で形成して水拡散体３６の支柱部３８の外周面との間で４個の独立した水噴出部４２を設けたものである。
【００７４】
また、図１２，１３に示すものは、水拡散体３６と水供給体３５とを一体的に構成するとともに、丸孔からなる複数の独立した水噴出部４３を同心円的に配設したものである。
【００７５】
水噴出部４２、および水噴出部４３は水散布ノズル９から散布される水の噴出速度、流量を決定する点は先の実施の形態１と同一であり、また独立した水噴出部４２，４３から独立して噴出された水は水拡散体３６に当たって放射状に拡散される際に連続環状の放射状となる。
【００７６】
水噴出部が分散独立している分、個々の開口度が小さいが、従来の環状隙間ｔよりも開口面積が大きくなり異物の詰まりなどの可能性は低くすることができる。
【００７７】
そして、これらの構成では水拡散体３６のセンターずれなどをなくすことができ、安定した水拡散による水膜形成がなされるものである。
【００７８】
（実施の形態４）
ところで、水散布ノズルの配置は、便器の中心に対して後方に偏って配置せざるを得ない。この配置で水散布ノズルから散布される水量が同一だった場合、便器の前方向への散布は距離が長いので、水量が少なくなり、逆に後方では距離が短いので水量は多くなってしまう。このように便器内面の前後で散布水量に大きな差が生じてしまう。
【００７９】
そこで、水散布ノズルからの散布水量を便器の前方向には多く、後方には少なくなるように偏らせることで、便器内面の単位面積あたりの水量をほぼ均一にし、これにより、便器内面を効率よく広く均一に濡らすことができるものである。
【００８０】
図１４，１５に示す第１具体策は、実施の形態１における図４，５の水散布ノズル９の水拡散体３６を水供給体３５に対して偏心させて水噴出部３４の開口度を便器１の前方ほど大きく設定したものである。
【００８１】
したがって、便器１の内面には均等に水が散布されることとなり、確実に内全面に水膜を形成できることとなる。
【００８２】
図１６に示す第２具体策は、実施の形態３における図１０，１１の独立した水噴出部４２の個数を便器１の前方ほど多く設定したもの、図１７に示す第３具体策は、独立した水噴出部４２の開口度を便器１の前方ほど大きく設定したものである。
【００８３】
図１８に示す第４具体策は、実施の形態３における図１２，１３の独立した水噴出部４３の個数を便器１の前方ほど多く設定したもの、図１９に示す第５具体策は、独立した水噴出部４３の開口度を便器１の前方ほど大きく設定したものである。
【００８４】
以上より水散布ノズル９が便器１に対して偏心位置に配置してあっても、その内面に水膜を均等に、かつ確実に形成することができ、汚れに対する抑止作用をむらのないものとすることができるものである。
【００８５】
なお、上記実施の形態１では選択された代表的なものを紹介したが、これ以外にも以下次のような実施手段も考えられるものである。
【００８６】
（１）実施の形態１では人体検知をした後に便蓋３を開き、その後に水散布ノズル９から水を散布させるようにしたが、他に、例えば、人体検知した直後に水散布ノズル９から水の散布を行って素早く便器１の内面を濡らし、より早く便器１を使用可能な状態にしてもよい。
【００８７】
（２）実施の形態１では水散布ノズル９からの水散布停止は、時間Ｔ２経過後、もしくは着座検知が行われた時としたが、その他に、例えば、リモートコントローラ１１の使用―時停止スイッチ１８を操作することにより任意に停止させてもよい。これによれば、使用者が緊急に便器１を濡らしたくない状況が発生した場合などに対応できる。
【００８８】
（３）実施の形態１では人体検知センサ５を独立して配置したが、素早い検出には劣るが、この人体検知センサ５を便座本体４とか、リモートコントローラ１１に内蔵させることも考えられ、場合によっては、便座本体４とリモートコントローラ１１の両者に内蔵させてもよい。
【００８９】
（４）実施の形態１では照明装置１０の点灯または消灯を水散布ノズル９からの水散布タイミングに合わせて行ったが、消灯を、例えば３分間程度遅延させることによって、便器１内の照明として積極的に利用したり、男子小用時の小便の的としてスポットライトとして活用することもできる。
【産業上の利用可能性】
【００９０】
以上のように、本発明にかかるトイレ装置は、水散布ノズルの水拡散が均等に行われるため、便器内面への汚れ付着が抑えられ、衛生的なトイレ環境を創出できるものであり、トイレ装置以外への応用も可能である。
【符号の説明】
【００９１】
１  便器
２  便座
７  洗浄ノズル
８  洗浄ノズル
９  水散布ノズル
１０  照明装置
１１  リモートコントローラ
１９  汚れ防止スイッチ
２６  元電磁弁
２７  流路切換弁
３３  制御手段
３４，４２，４３  水噴出部
３５  水供給体
３６  水拡散体
４０  ケース
４１  低圧部（凹部）
【図３】
0005459343.tif 000002
【図４】
0005459343.tif 000003
【図５】
0005459343.tif 000004
【図６】
0005459343.tif 000005
【図７】
0005459343.tif 000006
【図８】
0005459343.tif 000007
【図９】
0005459343.tif 000008
【図１０】
0005459343.tif 000009
【図１１】
0005459343.tif 000010
【図１２】
0005459343.tif 000011
【図１３】
0005459343.tif 000012
【図１４】
0005459343.tif 000013
【図１５】
0005459343.tif 000014
【図１６】
0005459343.tif 000015
【図１７】
0005459343.tif 000016
【図１８】
0005459343.tif 000017
【図１９】
0005459343.tif 000018
【図２０】
0005459343.tif 000019
【図２１】
0005459343.tif 000020
【図２２】
0005459343.tif 000021
【図１】
0005459343.tif 000022
【図２】
0005459343.tif 000023